(57)【要約】【課題】クラブの番手に応じてシャフト軸から重心までの距離を調整することにより、全てのクラブで優れたショットを行うことができるアイアンゴルフクラブセットを提供する。【解決手段】クラブヘッド１０のバック面にヒール側からトウ側に至る第１キャビティー部１２を有するとともに、第１キャビティー部より下方に第１キャビティー部よりも平面面積が小さい第２キャビティー部１４を有し、この第２キャビティー部は、ヒール領域１６、トウ領域１８および中間領域２０を有する複数のクラブによってアイアンゴルフクラブセットを構成する。そして、第１キャビティー部は全てのクラブが同じ平面形状を有し、第２キャビティー部のヒール領域／トウ領域の質量比の値は、番手の小さいクラブよりも番手の大きいクラブの方が大きくなるようにする。【選択図】図１
2010167131.tif 000002
【特許請求の範囲】
【請求項１】
クラブヘッドのバック面にヒール側からトウ側に至る第１キャビティー部を有するとともに、クラブヘッドのバック面の前記第１キャビティー部より下方に前記第１キャビティー部よりも平面面積が小さいヒール側からトウ側に至る第２キャビティー部を有し、かつ、前記第２キャビティー部は、ヒール側に位置するヒール領域と、トウ側に位置するトウ領域と、前記ヒール領域とトウ領域との間に位置し、前記ヒール領域およびトウ領域よりも肉厚が薄い中間領域とを有する複数のアイアンゴルフクラブからなるアイアンゴルフクラブセットであって、
前記第１キャビティー部は全てのクラブが同じ平面形状を有し、かつ、前記第２キャビティー部のヒール領域／トウ領域の質量比の値は、番手の小さいクラブよりも番手の大きいクラブの方が大きいことを特徴とするアイアンゴルフクラブセット。
【請求項２】
クラブヘッドのバック面にヒール側からトウ側に至る第１キャビティー部を有するとともに、クラブヘッドのバック面の前記第１キャビティー部より下方に前記第１キャビティー部よりも平面面積が小さいヒール側からトウ側に至る第２キャビティー部を有し、かつ、前記第２キャビティー部は、ヒール側に位置するヒール領域と、トウ側に位置するトウ領域と、前記ヒール領域とトウ領域との間に位置し、前記ヒール領域およびトウ領域よりも肉厚が薄い中間領域とを有する複数のアイアンゴルフクラブからなり、前記複数のアイアンゴルフクラブは番手順に沿って複数のグループに分割されているアイアンゴルフクラブセットであって、
前記第１キャビティー部は全てのクラブが同じ平面形状を有し、かつ、前記第２キャビティー部のヒール領域／トウ領域の質量比の値は、番手の小さいグループのクラブよりも番手の大きいグループのクラブの方が大きいことを特徴とするアイアンゴルフクラブセット。
【請求項３】
前記第２キャビティー部のヒール領域の厚み、トウ領域の厚みおよび中間領域の厚み、ならびに、前記第２キャビティー部のヒール領域の幅、トウ領域の幅および中間領域の幅から選ばれる１つ以上を調整することにより、前記第２キャビティー部のヒール領域／トウ領域の質量比の値を調整することを特徴とする請求項１または２に記載のアイアンゴルフクラブセット。
【請求項４】
前記第２キャビティー部のヒール領域の厚みおよびトウ領域の厚み、または、前記第２キャビティー部のヒール領域の幅およびトウ領域の幅を調整することにより、前記第２キャビティー部のヒール領域／トウ領域の質量比の値を調整することを特徴とする請求項１または２に記載のアイアンゴルフクラブセット。
【請求項５】
前記第１キャビティー部の肉厚を、前記第２キャビティー部の中間領域の肉厚よりも薄くしたことを特徴とする請求項１〜３のいずれか１項に記載のアイアンゴルフクラブセット。
【発明の詳細な説明】
【技術分野】
【０００１】
本発明は、クラブの番手に応じてシャフト軸から重心までの距離を調整することにより、全てのクラブで優れたショットを行うことができるようにしたアイアンゴルフクラブセットに関する。
【背景技術】
【０００２】
従来、複数のアイアンゴルフクラブよりなるアイアンゴルフクラブセットとして、クラブの番手が増えクラブヘッドのロフト角が大きくなるほど、各クラブヘッドの重心高さが大きくなり、重心深度が小さくなるものが提案されている（特許文献１）。特許文献１のアイアンゴルフクラブセットは、ロングアイアンやミドルアイアンではボールが上がり易く、ショートアイアンではスピンが多くボールが止まり易いものである。
【先行技術文献】
【特許文献】
【０００３】
【特許文献１】特開２００３−２６５６５３号公報
【発明の概要】
【発明が解決しようとする課題】
【０００４】
しかし、特許文献１のアイアンゴルフクラブセットは、クラブヘッドのロフト角に応じて重心高さおよび重心深度を調整するもので、ゴルフクラブの番手に応じてシャフト軸から重心までの距離を調整するものではなかった。
【０００５】
本発明は、上記事情に鑑みてなされたもので、ゴルフクラブの番手に応じてシャフト軸から重心までの距離を調整することにより、全てのクラブで優れたショットを行うことができるようにしたアイアンゴルフクラブセットを提供することを目的とする。
【課題を解決するための手段】
【０００６】
本発明は、前記目的を達成するため、下記第１発明および第２発明に係るアイアンゴルフクラブセットを提供する。
（第１発明）
クラブヘッドのバック面にヒール側からトウ側に至る第１キャビティー部を有するとともに、クラブヘッドのバック面の前記第１キャビティー部より下方に前記第１キャビティー部よりも平面面積が小さいヒール側からトウ側に至る第２キャビティー部を有し、かつ、前記第２キャビティー部は、ヒール側に位置するヒール領域と、トウ側に位置するトウ領域と、前記ヒール領域とトウ領域との間に位置し、前記ヒール領域およびトウ領域よりも肉厚が薄い中間領域とを有する複数のアイアンゴルフクラブからなるアイアンゴルフクラブセットであって、前記第１キャビティー部は全てのクラブが同じ平面形状を有し、かつ、前記第２キャビティー部のヒール領域／トウ領域の質量比の値は、番手の小さいクラブよりも番手の大きいクラブの方が大きいことを特徴とするアイアンゴルフクラブセット。
（第２発明）
クラブヘッドのバック面にヒール側からトウ側に至る第１キャビティー部を有するとともに、クラブヘッドのバック面の前記第１キャビティー部より下方に前記第１キャビティー部よりも平面面積が小さいヒール側からトウ側に至る第２キャビティー部を有し、かつ、前記第２キャビティー部は、ヒール側に位置するヒール領域と、トウ側に位置するトウ領域と、前記ヒール領域とトウ領域との間に位置し、前記ヒール領域およびトウ領域よりも肉厚が薄い中間領域とを有する複数のアイアンゴルフクラブからなり、前記複数のアイアンゴルフクラブは番手順に沿って複数のグループに分割されているアイアンゴルフクラブセットであって、前記第１キャビティー部は全てのクラブが同じ平面形状を有し、かつ、前記第２キャビティー部のヒール領域／トウ領域の質量比の値は、番手の小さいグループのクラブよりも番手の大きいグループのクラブの方が大きいことを特徴とするアイアンゴルフクラブセット。
【０００７】
第１発明では、第２キャビティー部のヒール領域／トウ領域の質量比の値を、番手の小さいクラブよりも番手の大きいクラブの方が大きくなるようにする。第２発明では、第２キャビティー部のヒール領域／トウ領域の質量比の値を、番手の小さいグループのクラブよりも番手の大きいクラブの方が大きくなるようにする。したがって、第１発明および第２発明においては、番手が小さいアイアン（例えば４番アイアン）のヘッドは、シャフト軸から重心までの水平距離が長くなるので、シャフト軸周りの慣性モーメントが大きくなって、スイング中にヘッドが返りにくくなる。よって、安定したスイング軌道を得ることが可能となる。一方、番手の大きいアイアン（例えばＳＷ）のヘッドは、シャフト軸から重心までの水平距離が短くなるので、シャフト軸周りの慣性モーメントが小さくなって、スイング中にヘッドが返りやすくなり、操作しやすくなる。よって、多様なショットが可能となる。
【０００８】
本発明では、第２キャビティー部のヒール領域の厚み、トウ領域の厚みおよび中間領域の厚み、ならびに、第２キャビティー部のヒール領域の幅、トウ領域の幅および中間領域の幅から選ばれる１つ以上を調整することにより、第２キャビティー部のヒール領域／トウ領域の質量比の値を調整することができる。特に好ましいのは、第２キャビティー部のヒール領域の厚みおよびトウ領域の厚み、または、第２キャビティー部のヒール領域の幅およびトウ領域の幅を調整することにより、第２キャビティー部のヒール領域／トウ領域の質量比の値を調整することである。
【０００９】
また、本発明では、第１キャビティー部の肉厚を、第２キャビティー部の中間領域の肉厚よりも薄くすることが好ましい。これにより、第１キャビティー部に銘板を貼る際に、貼り付け位置を特定しやすいため、クラブの番手にかかわらず正確な位置に貼り付けることができるとともに、銘板を貼り付けやすくなる。
【発明の効果】
【００１０】
本発明のアイアンゴルフクラブセットは、クラブの番手に応じてシャフト軸から重心までの距離を調整することにより、全てのクラブで優れたショットを行うことができる。また、本発明のアイアンゴルフクラブセットは、第１キャビティー部の平面形状を全てのクラブで同じ形状にしたので、第１キャビティー部の表面にプラスチックや金属等からなる銘板を貼る場合に、全ての銘板を同じ金型で作製することができ、また、第１キャビティー部を切削加工等の機械加工で作製する場合に、この機械加工を容易に行うことが可能となる。
【図面の簡単な説明】
【００１１】
【図１】本発明に係るアイアンゴルフクラブセットを構成するゴルフクラブのクラブヘッドを示すバック面側から見た斜視図である。
【図２】図１のクラブヘッドの縦断面図である。
【発明を実施するための形態】
【００１２】
以下、本発明につき図面を参照して詳しく説明する。図１は本発明に係るアイアンゴルフクラブセットを構成するゴルフクラブのクラブヘッドを示すバック面側から見た斜視図、図２は同クラブヘッドの縦断面図である。
【００１３】
本例のクラブヘッド１０は、バック面の上側にヒール側からトウ側に至る第１キャビティー部１２を有するとともに、バック面の第１キャビティー部１２より下方に第１キャビティー部１２よりも平面面積が小さい第２キャビティー部１４を有する。また、第２キャビティー部１４は、ヒール側に位置するヒール領域１６と、トウ側に位置するトウ領域１８と、ヒール領域１６とトウ領域１８との間に位置し、ヒール領域１６およびトウ領域１８よりも肉厚が薄い中間領域２０とを有する。
【００１４】
本例のヘッド１０は、第１キャビティー部１２の上方および両側方に前後方向の肉厚の厚いクラウン部２２が連設されているとともに、第２キャビティー部１４の下方に前後方向の肉厚の厚いソール部２４が連設され、上記クラウン部２２とソール部２４とは一体に接続されている。また、第１キャビティー部１２の肉厚ａは、第２キャビティー部１４の中間領域２０の肉厚ｂよりも薄く形成されている。
【００１５】
本例のアイアンゴルフクラブセットでは、第１キャビティー部１２は全てのクラブが同じ平面形状を有する。そして、図示していないが、第１キャビティー部１２の表面（背面）には、プラスチックあるいはステンレス鋼、アルミニウム等の金属からなる第１キャビティー部１２の平面形状と同じ形状の銘板が接着剤により接着されている。ただし、銘板は、両面テープ、嵌合、ビス固定などによって第１キャビティー部１２の表面に固定してもよい。なお、銘板を貼り付けた後に第２キャビティー部１４の中間領域２０の表面と銘板の表面とがフラットになれば銘板が剥がれにくいから好ましいが、銘板の厚さはこれに限定されるものではない。
【００１６】
本例のアイアンゴルフクラブセットでは、第２キャビティー部１４のヒール領域１６／トウ領域１８の質量比の値が、番手の小さいクラブよりも番手の大きいクラブの方が大きい。この場合、図１、２に示すように、第２キャビティー部１４のヒール領域１６の厚みｃ、トウ領域１８の厚みｄ、中間領域２０の厚みｂ、ヒール領域１６の幅ｅ、トウ領域１８の幅ｆ、中間領域２０の幅ｇから選ばれる１つ以上を調整することにより、第２キャビティー部１４のヒール領域１６／トウ領域１８の質量比の値を調整することができる。
【００１７】
特に好ましいのは、第２キャビティー部１４のヒール領域１６の厚みｃおよびトウ領域１８の厚みｄ、または、ヒール領域１６の幅ｅおよびトウ領域１８の幅ｆを調整することにより、第２キャビティー部１４のヒール領域１６／トウ領域１８の質量比の値を調整することである。ただし、上記各領域の厚みおよび幅の両方を調整してもよい。
【００１８】
本発明において、第２キャビティー部のヒール領域／トウ領域の質量比の値は、例えば、４番アイアンでは０．７３、５番アイアンでは０．７５、６番アイアンでは０．７８、７番アイアンでは０．９６、８番アイアンでは１．０、９番アイアンでは１．０３、ＰＷでは１．２７、ＡＷでは１．３２、ＳＷでは１．３７とすることができる。上記質量比の値は一例であって、表１（後述）におけるヒール領域の厚み／トウ領域の厚みにより算出される値である。
【００１９】
また、アイアンゴルフクラブを番手順に沿って複数のグループに分割する場合、第２キャビティー部のヒール領域／トウ領域の質量比の値は、例えば、ロングアイアン（４〜６番アイアン）では０．７〜０．８、ミドルアイアン（７〜９番アイアン）では０．９５〜１．０５、ショートアイアン（ＰＷ、ＡＷ、ＳＷ）では１．２５〜１．４とすることができる。
【００２０】
本発明では、第２キャビティー部のヒール領域／トウ領域の質量比の値は、ヒール領域ならびにトウ領域の幅および厚みの一方または両方を用いて求めればよく、上述した数値や範囲に限定されるものではない。
【００２１】
本発明において、各クラブ間あるいは各グループ間における第２キャビティー部のヒール領域／トウ領域の質量比の変化の幅は任意に設定することができる。
【００２２】
本例のアイアンゴルフクラブセットでは、第２キャビティー部のヒール領域／トウ領域の質量比の値を、番手の小さいクラブよりも番手の大きいクラブの方が大きくなるようにしたが、複数のアイアンゴルフクラブを番手順に沿って複数のグループに分割し、第２キャビティー部のヒール領域／トウ領域の質量比の値を、番手の小さいグループのクラブよりも番手の大きいグループのクラブの方が大きくなるようにしてもよい。例えば、４〜６番アイアンをロングアイアングループ、７〜９番アイアンをミドルアイアングループ、ピッチングウエッジ（ＰＷ）、アプローチウエッジ（ＡＷ）、サンドウエッジ（ＳＷ）をショートアイアングループとし、第２キャビティー部のヒール領域／トウ領域の質量比の値を、ロングアイアングループのクラブよりもミドルアイアングループのクラブの方が大きくなるようにし、ミドルアイアングループのクラブよりもショートアイアングループのクラブの方が大きくなるようにしてもよい。また、各グループ内で各領域の厚みや幅を一定にしてもよいし、各領域の厚みや幅を各グループ内において細かく変化させ、グループが異なるときに大きく変化させてもよい。このように各番手毎に各領域の厚みや幅を微妙に変えるのではなく、同じような性能でグループ分けすることにより、各グループ内のクラブで同じスイングを行うことが可能となる。
【実施例】
【００２３】
（実施例１）
図１、２に示したゴルフクラブからなるアイアンゴルフクラブセットを作製した。ゴルフクラブは、４〜９番アイアン（♯４〜９）、ＰＷ、ＡＷ、ＳＷの９本によって構成した。本実施例では、表１に示すように、第２キャビティー部のヒール領域およびトウ領域の厚みを調整することにより、第２キャビティー部のヒール領域／トウ領域の質量比の値を調整した。表１におけるヒール領域／トウ領域の厚みの比は、ヒール領域／トウ領域の質量比に対応する。なお、各領域の幅は一定である。本実施例では、♯４〜６をロングアイアン、♯７〜９をミドルアイアン、ＰＷ、ＡＷ、ＳＷをショートアイアンと区分し、それぞれの区分で、シャフト軸からの重心距離が最適となるようにヒール領域およびトウ領域の肉厚を設定しつつ、さらに各区分内においても細かく各領域の肉厚を設定することで、より最適なシャフト軸からの重心距離を得ており、これによってスイングとクラブの性能とをより適合させることができる。
【００２４】
【表１】
2010167131.tif 000003
【００２５】
（実施例２）
図１、２に示したゴルフクラブからなる実施例１と同様のアイアンゴルフクラブセットを作製した。本実施例では、表２に示すように、第２キャビティー部の中間領域の幅を一定とし、ヒール領域およびトウ領域の幅を調整することにより、第２キャビティー部のヒール領域／トウ領域の質量比の値を調整した。なお、各領域の厚みは一定である。
【００２６】
【表２】
2010167131.tif 000004
【００２７】
（実施例３）
図１、２に示したゴルフクラブからなる実施例１と同様のアイアンゴルフクラブセットを作製した。本実施例では、表３に示すように、第２キャビティー部のヒール領域の幅を一定とし、トウ領域および中間領域の幅を調整することにより、第２キャビティー部のヒール領域／トウ領域の質量比の値を調整した。なお、各領域の厚みは一定である。
【００２８】
【表３】
2010167131.tif 000005
【００２９】
（実施例４）
図１、２に示したゴルフクラブからなる実施例１と同様のアイアンゴルフクラブセットを作製した。本実施例では、表４に示すように、第２キャビティー部のトウ領域の幅を一定とし、ヒール領域および中間領域の幅を調整することにより、第２キャビティー部のヒール領域／トウ領域の質量比の値を調整した。なお、各領域の厚みは一定である。
【００３０】
【表４】
2010167131.tif 000006
【符号の説明】
【００３１】
１０  クラブヘッド
１２  第１キャビティー部
１４  第２キャビティー部
１６  ヒール領域
１８  トウ領域
２０  中間領域
２２  クラウン部
２４  ソール部
【図１】
2010167131.tif 000007
【図２】
2010167131.tif 000008